(57)【要約】  例えばジーンズなどの衣類のてんぐ。てんぐは、折られ縫合されて額縁縫いの角部を形成する生地を含む。額縁縫いの角部はてんぐ縫い部によって形成され、てんぐは２つの略直角、第１の鋭角及び鈍角を形成する略台形の形状を持つ。てんぐ縫い部は鈍角の頂点に向かって延び、てんぐは、鈍角の頂点と第１の鋭角の頂点との間で延びる下部折り縁を形成する。てんぐ縫い部と下部折り縁とが交差して、鈍角の一部である第２の鋭角を形成する。【選択図】  図１０
2021523309.tif 000002
【特許請求の範囲】
【請求項１】
第１の前パネルと、
第２の前パネルであって、前記第１の前パネルの第１の側部が股縫い部を介して該第２の前パネルの第１の側部に接続される、第２の前パネルと、
前記第１の前パネルの上部と前記第２の前パネルの上部とに接続されるウエストバンドと、
前記第１の前パネルの第２の側部と前記第２の前パネルの第２の側部とに接続されるファスナと、
折られ縫合されて、てんぐ縫い部によって形成される額縁縫いの角部を形成する生地を備えるてんぐであって、該てんぐが下部折り縁を形成する、てんぐと
を備える衣類であって、
前記下部折り縁が前記てんぐの下部を形成し、
前記股縫い部に重なって延びる前記てんぐの部分のみが前記下部となっており、
前記てんぐの前記下部が第１の生地層及び第２の生地層からなる、衣類。
【請求項２】
前記ファスナがファスナストッパを備え、前記てんぐ縫い部が前記第１の前パネルの前記第２の側部の、前記ファスナストッパと前記ウエストバンドとの間の位置に縫合される、請求項１に記載の衣類。
【請求項３】
前記衣類がズボン又はショートパンツである、請求項１に記載の衣類。
【請求項４】
前記てんぐが２つの略直角、第１の鋭角及び鈍角を形成する略台形の形状を持ち、前記額縁縫いの角部の前記てんぐ縫い部が前記鈍角の頂点に向かって延び、前記下部折り縁が前記鈍角の前記頂点と前記第１の鋭角の頂点との間で延びる、請求項１に記載の衣類。
【請求項５】
前記てんぐ縫い部と前記下部折り縁とが交差して、前記鈍角の一部である第２の鋭角を形成する、請求項４に記載の衣類。
【請求項６】
前記てんぐ縫い部が前記股縫い部から離間する、請求項１に記載の衣類。
【請求項７】
前記てんぐの一部と前記股縫い部とにわたって形成される閂止めをさらに備え、
前記てんぐ縫い部が前記第１の前パネルの前記第２の側部の、前記閂止めと前記ウエストバンドとの間の位置に縫合される、請求項１に記載の衣類。
【請求項８】
第１の前パネルと、
第２の前パネルであって、前記第１の前パネルの第１の側部が股縫い部を介して該第２の前パネルの第１の側部に接続される、第２の前パネルと、
前記第１の前パネルの上部と前記第２の前パネルの上部とに接続されるウエストバンドと、
前記第１の前パネルの第２の側部と前記第２の前パネルの第２の側部とに接続されるファスナと、
折られ縫合されて、てんぐ縫い部によって形成される額縁縫いの角部を形成する生地を備えるてんぐであって、該てんぐが前記第１の前パネルの前記第２の側部に縫合される、てんぐと
を備える衣類。
【請求項９】
前記ファスナがファスナストッパを備え、前記てんぐ縫い部が前記第１の前パネルの前記第２の側部の、前記ファスナストッパと前記ウエストバンドとの間の位置に縫合される、請求項８に記載の衣類。
【請求項１０】
前記衣類がズボン又はショートパンツである、請求項９に記載の衣類。
【請求項１１】
前記てんぐが２つの略直角、第１の鋭角及び鈍角を形成する略台形の形状を持ち、前記額縁縫いの角部の前記てんぐ縫い部が前記鈍角の頂点に向かって延び、前記てんぐが、前記鈍角の前記頂点と前記第１の鋭角の頂点との間で延びる下部折り縁を形成する、請求項９に記載の衣類。
【請求項１２】
前記てんぐ縫い部と前記下部折り縁とが交差して、前記鈍角の一部である第２の鋭角を形成する、請求項１１に記載の衣類。
【請求項１３】
前記下部折り縁が前記てんぐの下部を形成し、前記股縫い部に重なって延びる前記てんぐの部分のみが前記下部となっている、請求項１１に記載の衣類。
【請求項１４】
前記てんぐの前記下部が第１の生地層及び第２の生地層からなる、請求項１３に記載の衣類。
【請求項１５】
前記てんぐ縫い部が前記股縫い部から離間する、請求項１１に記載の衣類。
【請求項１６】
前記てんぐの一部と前記股縫い部とにわたって形成される閂止めをさらに備え、
前記てんぐ縫い部が前記第１の前パネルの前記第２の側部の、前記閂止めと前記ウエストバンドとの間の位置に縫合される、請求項８に記載の衣類。
【請求項１７】
折られ縫合されて、額縁縫いの角部を形成する生地を備える、衣類のてんぐ。
【請求項１８】
前記額縁縫いの角部がてんぐ縫い部によって形成され、前記てんぐが２つの略直角、第１の鋭角及び鈍角を形成する略台形の形状を持ち、前記てんぐ縫い部が前記鈍角の頂点に向かって延び、前記てんぐが、前記鈍角の前記頂点と前記第１の鋭角の頂点との間で延びる下部折り縁を形成する、請求項１７に記載のてんぐ。
【請求項１９】
前記てんぐ縫い部と前記下部折り縁とが交差して、前記鈍角の一部である第２の鋭角を形成する、請求項１８に記載のてんぐ。
【請求項２０】
前記下部折り縁が前記てんぐの下部を形成し、衣類の股縫い部に重なって延びるように構成される前記てんぐの部分のみが前記下部となっている、請求項１８に記載のてんぐ。
【請求項２１】
前記てんぐの前記下部が第１の生地層及び第２の生地層からなる、請求項２０に記載のてんぐ。
【請求項２２】
生地を用いててんぐを作製するステップを含む方法であって、
前記生地が第１の縁を含む第１の部分と、第２の縁を含む第２の部分とを備え、前記第１の縁と前記第２の縁との間に鈍角が形成され、前記第１の部分が第１の面及び反対側の第２の面を有し、前記第２の部分が第３の面及び反対側の第４の面を有し、
前記生地を用いて前記てんぐを作製する前記ステップが、
前記第１の部分の前記第１の面が前記第２の部分の前記第３の面に対向するとともに、前記第１の縁が前記第２の縁に実質的に合わせられる第１の位置状態に前記第１の部分及び前記第２の部分を配置することと、
前記第１の部分及び前記第２の部分が前記第１の位置状態にあるとき、前記第１の部分を前記第２の部分に縫合して、てんぐ縫い部を形成することと、
前記てんぐ縫い部を形成した後、前記第１の部分の前記第２の面が前記第２の部分の前記第４の面に対向するとともに、前記第２の部分が折られて前記てんぐの下縁を形成する第２の位置状態に、前記縫合された第１の部分及び第２の部分を配置することと
を含む、方法。
【請求項２３】
ウエストバンド及びファスナストッパを備える衣類に、前記てんぐ縫い部が前記ウエストバンドと前記ファスナストッパとの間の位置で前記衣類に縫合されるように、前記てんぐを取り付けるステップをさらに含む、請求項２２に記載の方法。
【請求項２４】
前記衣類がズボン又はショートパンツである、請求項２３に記載の方法。
【請求項２５】
前記てんぐ縫い部を衣類の前身頃に縫合するステップと、
前記てんぐ及び前記衣類の股縫い部にわたって延びる閂止めを形成するステップと
をさらに含み、
前記衣類がウエストバンドを備え、
前記てんぐ縫い部が前記衣類の前記前身頃の、前記ウエストバンドと前記閂止めとの間の位置に縫合される、請求項２２に記載の方法。
【請求項２６】
股縫い部を備える衣類に前記てんぐを取り付けるステップをさらに含み、
前記下縁が前記てんぐの下部を形成し、前記股縫い部に重なって延びる前記てんぐの部分のみが前記下部となっている、請求項２２に記載の方法。
【請求項２７】
前記てんぐの前記下部が第１の生地層及び第２の生地層からなる、請求項２６に記載の方法。
【請求項２８】
前記てんぐ縫い部が前記股縫い部から離間する、請求項２６に記載の方法。
【請求項２９】
前記縫合された第１の部分及び第２の部分が前記第２の位置状態にあるとき、額縁縫いの角部が前記てんぐ縫い部によって形成され、
前記縫合された第１の部分及び第２の部分が前記第２の位置状態にあるとき、
前記てんぐが、２つの略直角、第１の鋭角及び鈍角を形成する略台形の形状を持ち、
前記額縁縫いの角部の前記てんぐ縫い部が前記鈍角の頂点に向かって延び、
前記下縁が前記鈍角の前記頂点と前記第１の鋭角の頂点との間で延びる、
請求項２２に記載の方法。
【請求項３０】
前記てんぐ縫い部と下部折り縁とが交差して、前記鈍角の一部である第２の鋭角を形成する、請求項２９に記載の方法。
【発明の詳細な説明】
【関連出願の相互参照】
【０００１】
[0001]本出願は２０１８年５月３日に出願された米国特許出願第１５／９６９，９７９号の出願日の利益及び優先権を主張し、この米国特許出願の開示全体が参照により本明細書に援用される。本出願は２０１９年３月２８日に出願された米国特許出願第１６／３６８，３６４号の出願日の利益及び優先権も主張し、この米国特許出願の開示全体が参照により本明細書に援用される。
【背景】
【０００２】
[0002]本開示は、概して、例えばジーンズなどの衣類のてんぐ（ｆｌｙ  ｓｈｉｅｌｄ）に関する。
【図面の簡単な説明】
【０００３】
【図１】従来の衣類の前身頃（ｆｒｏｎｔ  ｐｏｒｔｉｏｎ）の正面図である。
【図２】図１の衣類の、従来のてんぐを含む前身頃の裏面図である。
【図３】図１の衣類の前身頃の斜視図である。
【図４】図２の、従来のてんぐを含む前身頃の別の斜視図である。
【図５】従来のてんぐを作製するステップの際の図２の従来のてんぐの上面図である。
【図６】従来のてんぐを作製する別のステップの際の図２の従来のてんぐの上面図である。
【図７】図２の、従来のてんぐを含む前身頃の別の斜視図である。
【図８】図７の８−８線に沿って切断した、図７の従来のてんぐの一部の断面図である。
【図９】一実施形態に係る、てんぐを含む衣類の前身頃の正面図である。
【図１０】一実施形態に係る、図９の衣類の、てんぐを含む前身頃の裏面図である。
【図１１】一実施形態に係る、図９の衣類の、てんぐを含む前身頃の別の斜視図である。
【図１２】図１１の１２−１２線に沿って切断した、一実施形態に係る、図１１のてんぐの一部の断面図である。
【図１３】一実施形態に係る、図１１の前身頃の別の斜視図である。
【図１４】一実施形態に係る、てんぐの作製の際の図１０のてんぐの上面図である。
【図１５】一実施形態に係る、図１４のてんぐの下面図である。
【図１６】実施形態に係る、図１０のてんぐを作製する方法のフローチャート図である。
【図１７】一実施形態に係る、図１６の方法のステップの実行の際の図１０のてんぐの上面図である。
【図１８】一実施形態に係る、図１６の方法の別のステップの実行の際の図１０のてんぐの上面図である。
【図１９】図１８の１９−１９線に沿って切断した、一実施形態に係る、図１８のてんぐの断面図である。
【発明を実施するための形態】
【０００４】
[0022]図１及び図２に示されているように、衣類１０は従来の前身頃１５を含む。衣類１０は、例えば、ズボン、ショートパンツ、スカートや、図１及び図２に示されているジーンズであってもよい。前身頃１５は多くの場合に右（着用者の視点から右）パネル２０と左パネル２５とで形成される。右パネル２０と左パネル２５とは、股縫い部３０と、ウエストバンド３５の留め部３３と、前立て４０の下／裏に配置されるファスナ３６（図３に示されている）とを介して部分的に接続されている。特に、右パネル２０の第１の側部２０ａが股縫い部３０を介して左パネル２５の第１の側部２５ａに接続されている。右パネル２０の上部２０ｂがウエストバンド３５に縫合され、左パネル２５の上部２５ｂがウエストバンド３５に縫合されている。図２に示されているように、てんぐ（ｆｌｙ  ｓｈｉｅｌｄ）４５がウエストバンド３５に接続され、縫い部５０を介して右パネル２０に接続され、縫い部５０及び閂止め５５を介して股縫い部に接続され、止めステッチ（ａｎｃｈｏｒ  ｓｔｉｔｃｈ）６０を介して左パネル２５に接続されている。股縫い部３０は股縫い部３０が閂止め５５で終端するまでウエストバンド３５に向かって上方に延びる。多くの場合、閂止めは衣類の領域を補強するのに用いられる縫い目の列である。したがって、閂止め５５は股縫い部３０に重ねられて縫われたり、股縫い部３０の少なくとも一端に重ねられて縫われたりする。多くの場合であって、図３及び図４を参照する場合、ファスナ３６は、第１の務歯帯（ｓｔｒｉｐ  ｏｆ  ｔｅｅｔｈ）３６ａと、第２の務歯帯３６ｂと、務歯帯３６ａと務歯帯３６ｂとの結合及び分離を行なうスライダ３６ｃと、務歯帯３６ａ及び務歯帯３６ｂに対するスライダ３６ｃの動きを止めるファスナストッパ３６ｄとを含む。右パネル２０の第２の側部２０ｃがファスナ３６に接続されている。図４に示されているように、明確にするために、止めステッチ６０はてんぐ４５を左パネル２５に接続させた状態では示されていない。接続させた状態ではなく、明確にするために、止めステッチ６０は分断されているように示されており、これにより、てんぐ４５を貫通して延びる止めステッチ６０の第１の部分６０ａと、左パネル２５を貫通して延びる止めステッチ６０の第２の部分６０ｂとが生じている（実際には、図４の図示例とは対照的に、止めステッチ６０はそのようには分断されず、したがって、止めステッチ６０は図１及び図３に示されているようにてんぐ４５及び左パネル２５にわたって延びて、てんぐ４５を左パネル２５に接続する）。左パネル２５の第２の側部２５ｃがファスナ３６に接続されている。図５を参照して、従来、てんぐ４５は、第１の縁４５ｂ´を形成する第１の部分４５ｂと、第２の縁４５ｃ´を形成する第２の部分４５ｃとを有する生地パーツ４５ａで構成される。図６に示されているように、第１の縁４５ｂ´が第２の縁４５ｃ´に実質的に合わせられ、第２の部分４５ｃが第１の部分４５ｂに対向するように生地４５ａが折られる。その後、第１の部分４５ｂと第２の部分４５ｃとはステッチや縫い部４５ｄにより接続され、これにより、第２の部分４５ｃ及び第１の部分４５ｂの第１の縫い代４５ｅ及び第２の縫い代４５ｆ��第２の縫い代４５ｆは図８に示されている）がそれぞれ形成される。図５及び図６に示されているように折られて縫い合わされると、生地４５ａは実質的に「裏返し状態（ｉｎｓｉｄｅ−ｏｕｔ）」になり、すなわち、生地の表側同士が対向するようになる。縫合後、てんぐ４５を「表側が現れている状態（ｒｉｇｈｔ−ｓｉｄｅ  ｏｕｔ）」に変えることにより、てんぐ４５の下部４５ｈを形成する第１の部分４５ｂ及び第２の部分４５ｃによって形成されるポケット４５ｇ（図８に示されている）内に第１の縫い代４５ｅ及び第２の縫い代４５ｆが配置される。下部４５ｈは、第１の部分４５ｂ、第１の縫い代４５ｅ、第２の縫い代４５ｆ及び第２の部分４５ｃを含むものであるが、てんぐ４５が図７に示されている右パネル２０に取り付けられる際、下部４５ｈは股縫い部３０の位置６５に取り付けられ、これにより、既に少なくとも２層の厚さ部分（前パネル２０及び左パネル２５）である前身頃１５の股縫い部３０での厚さに４層の生地が加えられる。したがって、衣類１０が使用者によって着用されると、てんぐ４５の下部４５ｈによって前身頃１５に凹凸が生じる。さらに、股縫い部３０に対するてんぐ縫い部４５ｄの配置及び／又はてんぐ４５の下部４５ｈの嵩張りにより、高伸縮性ファブリックのスパンデックス破損が増大する。さらに、ウエストバンド３５と位置６５との間にファスナストッパ３６ｄ及び閂止め５５が位置する状態で、てんぐ縫い部４５ｄが前身頃１５の位置６５に縫合される。
【０００５】
[0023]一実施形態では、図９及び図１０に示されているように、衣類１００が前身頃１０５を含む。従来のてんぐ４５が、生地１１５から形成されるてんぐ１１０と置換されること以外は、前身頃１０５は前身頃１５とほぼ同一であるか実質的に同様である。図１０中、縫い部１２５が左パネル２５に向かって対向しており、縫い部１２５は隠れて見えないが、閂止め５５、ウエストバンド３５、ファスナストッパ３６ｄや股縫い部３０などの衣類１００の他の部分に対する縫い部１２５の位置を示すように点線で示されている。
【０００６】
[0024]図１０、図１１及び図１２に示されているように、一実施形態では、生地１１５を折って縫合し、てんぐ１１０の下部１３０が生地１１５の折り部（図１２に示されている）から形成されるように、てんぐ縫い部１２５によって形成される額縁縫いの角部（ｍｉｔｅｒｅｄ  ｃｏｒｎｅｒ）１２０を形成することにより、てんぐ１１０を形成する。さらに、使用者が衣類１００を着用するときには、縫い部１２５の向きが使用者からそれる。縫い部１２５の向きが使用者からそれることで、縫い部１２５と使用者との間で刺激が生じたり擦れたりすることが避けられるか低減される。図１２に示されているように、下部１３０は生地１１５の第１の層と生地１１５の第２の層しか含まない。股縫い部３０の位置１３３に取り付けられる際、このてんぐ１１０では高伸縮性ファブリックのスパンデックス破損が大幅に低減され、前身頃１０５に対するてんぐ縫い部１２５の配置により前立て領域にわたってよりさっぱりとして滑らかな外観になる。一実施形態では、股縫い部３０に重なって延びる従来のてんぐ４５の部分の生地の層（４層）と比較して、てんぐ１１０では、てんぐ１１０の下部１３０での生地の層（２層）が削減される。
【０００７】
[0025]図１３に示されているように、明確にするために、止めステッチ６０はてんぐ１１０を左パネル２５に接続させた状態では示されていない。接続させた状態ではなく、明確にするために、止めステッチ６０は分断されているように示されており、これにより、てんぐ１１０を貫通して延びる止めステッチ６０の第１の部分６０ａと、左パネル２５を貫通して延びる止めステッチ６０の第２の部分６０ｂとが生じている（実際には、図１３の図示例とは対照的に、止めステッチ６０はそのようには分断されず、したがって、止めステッチ６０は図９及び図１０に示されているようにてんぐ１１０及び左パネル２５にわたって延びて、てんぐ１１０を左パネル２５に接続する）。図１３に示されているように、一実施形態では、てんぐ縫い部１２５の少なくとも一部がファスナストッパ３６ｄの上で延び、てんぐ縫い部１２５はファスナストッパ３６ｄとウエストバンド３５との間の位置で右パネル２０に縫合される。
【０００８】
[0026]一実施形態では、図１４に生地１１５の平面図が示されている。生地１１５は、第１の縁１４０を含む第１の部分１３５と、第２の縁１５０を含む第２の部分１４５とを含み、第１の縁１４０と第２の縁１５０との間には鈍角１５３が形成されている。第１の折り線が第２の部分１４５に示されており、第２の折り線が第１の部分１３５と第２の部分１４５とを実質的に分けるものとして示されており、第３の折り線が第２の部分１４５に示されている。第１の部分１３５は面１５５を有し、第２の部分は面１６０を有する。図１５に生地１１５の下面図が示されており、第１の部分１３５は面１６５を有し、第２の部分１４５は面１７０を有する。多くの例で、連続する面１５５と面１６０とは「表の」面であり、連続する面１６５と面１７０とは「裏の」面である。これらは、面１５５及び面１６０が多くの場合に外側に向く面である、すなわちより目につく面である一方で、面１６５及び面１７０が通常衣類１００の僅かに目につく部分にあるようになっている。
【０００９】
[0027]図１４及び図１５に示されているように、一実施形態では、生地１１５は、角度１８０及び角度１８５をそれぞれ形成する２つの角部の間で延びる上縁１７５を有し、角度１８０及び角度１８５は略９０度（±５度）の角度である。生地１１５は縁１９０及び反対側の縁１９５も有する。縁１９０は縁１７５と縁１４０との間で延びる。縁１９５は縁１７５と、縁１５０に隣接する下縁１９６との間で延びる。
【００１０】
[0028]一実施形態では、図９〜図１５を引き続き参照して図１６に示されているように、方法２００は、生地１１５を用いててんぐ１１０を作製するステップ２０２のステップであって、第１の部分１３５の面１５５が第２の部分１４５の面１６０に対向し、第１の縁１４０が第２の縁１５０に実質的に合わせられる第１の位置状態に第１の部分１３５及び第２の部分１４５を配置するステップ２０５のステップを含むステップと、第１の部分１３５及び第２の部分１４５が第１の位置状態にあるとき、第１の部分１３５を第２の部分１４５に縫合して、てんぐ縫い部１２５を形成するステップ２１０のステップと、てんぐ縫い部１２５を形成した後、第１の部分１３５の面１６５が第２の部分１４５の面１７０に対向し、第２の部分１４５が折られて、てんぐの下縁を形成する第２の位置状態に、縫合された第１の部分１３５及び第２の部分１４５を配置するステップ２１５のステップとを含む。一実施形態では、方法２００は、てんぐ縫い部１２５がウエストバンド３５とファスナストッパ３６ｄとの間の位置で衣類１００に縫合されるように、てんぐ１１０を衣類１００に取り付けるステップ２２０のステップと、右パネル２０の第２の側部２０ｃの、閂止め５５とウエストバンド３５との間の位置にてんぐ縫い部１２５が縫合されるように、てんぐ１１０及び股縫い部３０にわたって延びる閂止め５５を形成するステップとをさらに含む。
【００１１】
[0029]ステップ２０５では、第１の部分１３５の面１５５が第２の部分１４５の面１６０に対向し、第１の縁１４０が第２の縁１５０に実質的に合わせられる第１の位置状態に第１の部分１３５及び第２の部分１４５が配置される。図１７に示されているように、縁１４０と縁１５０とが実質的に合わさるように第２の部分１４５の一部が第１の折り線に沿って折られており、この結果、面１５５と面１６０とが対向し合う。
【００１２】
[0030]ステップ２１０では、第１の部分１３５及び第２の部分１４５が第１の位置状態にあるときに、第１の部分１３５と第２の部分１４５とを縫合部２３０により縫い合わせててんぐ縫い部１２５を形成する。第１の部分１３５を第２の部分１４５に縫合することで、「裏返し状態」にあるポケットが形成される。図１７に示されているように、ポケットの下縁は縫い部１２５と、第１の折り線に沿って折られた生地１１５とを含む。この位置状態で生地の「裏」側が外側に向いている。図１７にはポケットが生地１１５の他の部分寄りにつぶれている、すなわち、平らになっている様子が示されているが、ポケットは３次元円錐形のカップを形成することができる。
【００１３】
[0031]ステップ２１５では、第１の部分１３５の面１６５が第２の部分１４５の面１７０に対向して接触するか少なくとも対向するかし、第２の部分１４５が折られて、てんぐ１１０の下縁２３５を形成する第２の位置状態に、縫合された第１の部分１３５及び第２の部分１４５が配置される。第１の位置状態から第２の位置状態に移すには、ポケットを裏返された位置状態から表側が現れる位置状態にひっくり返す。表側が現れる位置状態でポケットは３次元円錐形のカップを形成する。３次元円錐形のカップを形成した後、面１６５が面１７０に対向した状態で縁１９０と縁１９５とを合わせ、生地１１５が第２の折り線に沿って折られるようにてんぐ１１０を平らにする。３次元円錐が平らにされるとき、それと同時にポケットすなわちカップを形成している生地１１５は強制的に折られ、第３の折り線に沿って折れる。生地１１５が第３の折り線に沿って折られる前に、後に又はそれと同時に、生地１１５は第２の折り線に沿って折られる。
【００１４】
[0032]図１８及び図１９は第２の位置状態にあるときのてんぐ１１０を示す。第２の位置状態にあるとき、てんぐ縫い部１２５は額縁縫いの角部１２０を形成する。一実施形態では、額縁縫いの角部１２０はてんぐ縫い部１２５によって形成される。さらに、第２の位置状態にあるとき、てんぐ１１０は２つの略直角（角度１８０及び反対側の角度２４０）、第１の鋭角２５０及び鈍角２５５を形成する略台形の形状を持つ。多くの場合、てんぐ縫い部１２５は鈍角２５５の頂点に向かって延び、てんぐ１１０は、鈍角２５５の頂点と第１の鋭角２５０の頂点との間で延びる下部折り縁２３５を形成する。一実施形態では、てんぐ縫い部１２５と下部折り縁２３５とが交差して、鈍角２５５の一部である第２の鋭角２６０を形成する。一実施形態の場合であって、てんぐ縫い部１２５が下縁２３５に対して角度がつけられていることによる結果を考える場合、てんぐ縫い部１２５の少なくとも一部は下縁２３５から約１インチ〜２インチ離間したり、約１．１インチ〜１．９インチ離間したり、約１．３インチ〜約１．７インチ離間したり、約１．４インチ〜約１．６インチ離間したり、約１．５インチだけ離間したりする。いくつかの実施形態では、この間隔は１．９インチを超えかつ３インチ未満であり、また、１インチ未満かつ０．２５インチを超えることが可能である。一実施形態の場合であって、図１０を再び参照する場合、下部折り縁２３５はてんぐ１１０の下部１３０を形成し、かつ、衣類１００の股縫い部３０に重なって延びるように構成されているてんぐ１１０の部分（てんぐ１１０が衣類１００に取り付けられている場合の部分）のみが下部１３０である。したがって、てんぐ縫い部１２５が右パネル２０のみ（左パネル２５と右パネル２０との両方ではない）に取り付けられるように、てんぐ縫い部１２５は股縫い部３０から離間する。一実施形態では、てんぐ１１０の下部１３０は図１２及び図１９に示されているように第１の生地層と第２の生地層とからなる。図１９に示されている面１６５が面１７０に対して対向しかしていないが、いくつかの実施形態では、面１６５は面１７０に対向しかつ接触する。
【００１５】
[0033]ステップ２２０での場合であって、図１０を再び参照する場合、てんぐ縫い部１２５がウエストバンド３５とファスナストッパ３６ｄとの間の位置２７０で衣類１００に縫合されるように、てんぐ１１０を衣類１００に縫い部５０を介して取り付ける。さらに、縫い部１２５の向きが使用者からそれ、ファスナ３６の方に向くので、使用者に対向する面（衣類１００が使用者によって着用されるときの面）は滑らかに仕上げられた面であったりさっぱりと仕上げられた面であったりする。
【００１６】
[0034]ステップ２２５では閂止め５５を衣類１００に加える。一実施態様では、右パネル２０の第２の側部２０ｃの、閂止め５５とウエストバンド３５との間にある位置２７０にてんぐ縫い部１２５を縫合する。
【００１７】
[0035]いくつかの実施形態では、てんぐ１１０及び／又は股縫い部３０に対するてんぐ縫い部１２５の配置により、衣類１００の縫製中に縫い部１２５がミシンの押さえをくぐる際の擦れ（ａｂｒａｓｉｏｎ）及び「抵抗（ｄｒａｇ）」が低減する。さらに、下部１３０の生地層を（従来のてんぐの４層からてんぐ１１０の２層に）減らすことで、衣類１００が使用者によって着用されるときに前立て領域で生じる凹凸や出っ張りが低減する。これに加えて、縫い部１２５が使用者の方に内側に向くのではなく、ファスナ３６の方に外側に向くことで、縫い部１２５と使用者との間で刺激が生じかつ／又は擦れることが低減される。
【００１８】
[0036]いくつかの実施形態では、異なるステップ、プロセス及び手順が別々に行なわれるものとして登場するように説明されているが、ステップの１つ以上、プロセスの１つ以上及び／又は手順の１つ以上を異なる順序で実行し、同時に実行しかつ／又は逐次的に実行することもできる。いくつかの実施形態では、ステップ、プロセス及び／又は手順を１つ以上のステップ、プロセス及び／又は手順に統合することができる。
【００１９】
[0037]第１の前パネルと、第２の前パネルであって、第１の前パネルの第１の側部が股縫い部を介して第２の前パネルの第１の側部に接続される、第２の前パネルと、第１の前パネルの上部と第２の前パネルの上部とに接続されるウエストバンドと、第１の前パネルの第２の側部と第２の前パネルの第２の側部とに接続されるファスナと、折られ縫合されて、てんぐ縫い部によって形成される額縁縫いの角部を形成する生地を含むてんぐであって、てんぐが下部折り縁を形成する、てんぐとを含む衣類であって、下部折り縁がてんぐの下部を形成し、股縫い部に重なって延びるてんぐの部分のみが下部であり、てんぐの下部が第１の生地層及び第２の生地層からなる、衣類の一実施形態を説明してきた。一実施形態では、ファスナがファスナストッパを含み、てんぐ縫い部が第１の前パネルの第２の側部の、ファスナストッパとウエストバンドとの間の位置に縫合される。一実施形態では、衣類がズボン又はショートパンツである。一実施形態では、てんぐが２つの略直角、第１の鋭角及び鈍角を形成する略台形の形状を持ち、額縁縫いの角部のてんぐ縫い部が鈍角の頂点に向かって延び、下部折り縁が鈍角の頂点と第１の鋭角の頂点との間で延びる。一実施形態では、てんぐ縫い部と下部折り縁とが交差して、鈍角の一部である第２の鋭角を形成する。一実施形態では、てんぐ縫い部が股縫い部から離間する。一実施形態では、衣類がてんぐの一部と股縫い部とにわたって形成される閂止めをさらに含み、てんぐ縫い部が第１の前パネルの第２の側部の、閂止めとウエストバンドとの間の位置に縫合される。
【００２０】
[0038]第１の前パネルと、第２の前パネルであって、第１の前パネルの第１の側部が股縫い部を介して第２の前パネルの第１の側部に接続される、第２の前パネルと、第１の前パネルの上部と第２の前パネルの上部とに接続されるウエストバンドと、第１の前パネルの第２の側部と第２の前パネルの第２の側部とに接続されるファスナと、折られ縫合されて、てんぐ縫い部によって形成される額縁縫いの角部を形成する生地を含むてんぐであって、てんぐが第１の前パネルの第２の側部に縫合される、てんぐとを含む衣類の一実施形態を説明してきた。一実施形態では、ファスナがファスナストッパを含み、てんぐ縫い部が第１の前パネルの第２の側部の、ファスナストッパとウエストバンドとの間の位置に縫合される。一実施形態では、衣類がズボン又はショートパンツである。一実施形態では、てんぐが２つの略直角、第１の鋭角及び鈍角を形成する略台形の形状を持ち、額縁縫いの角部のてんぐ縫い部が鈍角の頂点に向かって延び、てんぐが、鈍角の頂点と第１の鋭角の頂点との間で延びる下部折り縁を形成する。一実施形態では、てんぐ縫い部と下部折り縁とが交差して、鈍角の一部である第２の鋭角を形成する。一実施形態では、下部折り縁がてんぐの下部を形成し、股縫い部に重なって延びるてんぐの部分のみが下部である。一実施形態では、てんぐの下部が第１の生地層及び第２の生地層からなる。一実施形態では、てんぐ縫い部が股縫い部から離間する。一実施形態では、衣類が、てんぐの一部と股縫い部とにわたって形成される閂止めも含み、てんぐ縫い部が第１の前パネルの第２の側部の、閂止めとウエストバンドとの間の位置に縫合される。
【００２１】
[0039]折られ縫合されて額縁縫いの角部を形成する生地を含む衣類のてんぐの一実施形態を説明してきた。一実施形態では、額縁縫いの角部がてんぐ縫い部によって形成され、てんぐが２つの略直角、第１の鋭角及び鈍角を形成する略台形の形状を持ち、てんぐ縫い部が鈍角の頂点に向かって延び、てんぐが、鈍角の頂点と第１の鋭角の頂点との間で延びる下部折り縁を形成する。一実施形態では、てんぐ縫い部と下部折り縁とが交差して、鈍角の一部である第２の鋭角を形成する。一実施形態では、下部折り縁がてんぐの下部を形成し、衣類の股縫い部に重なって延びるように構成されるてんぐの部分のみが下部である。一実施形態では、てんぐの下部が第１の生地層及び第２の生地層からなる。
【００２２】
[0040]生地を用いててんぐを作製するステップを含む方法であって、生地が第１の縁を含む第１の部分と、第２の縁を含む第２の部分とを含み、第１の縁と第２の縁との間に鈍角が形成され、第１の部分が第１の面及び反対側の第２の面を有し、第２の部分が第３の面及び反対側の第４の面を有し、生地を用いててんぐを作製するステップが、第１の部分の第１の面が第２の部分の第３の面に対向し、第１の縁が第２の縁に実質的に合わせられる第１の位置状態に第１の部分及び第２の部分を配置するステップと、第１の部分及び第２の部分が第１の位置状態にあるとき、第１の部分を第２の部分に縫合して、てんぐ縫い部を形成するステップと、てんぐ縫い部を形成した後、第１の部分の第２の面が第２の部分の第４の面に対向し、第２の部分が折られて、てんぐの下縁を形成する第２の位置状態に、縫合された第１の部分及び第２の部分を配置するステップとを含む、方法の一実施形態を説明してきた。実施形態では、方法が、ウエストバンド及びファスナストッパを含む衣類に、てんぐ縫い部がウエストバンドとファスナストッパとの間の位置で衣類に縫合されるように、てんぐを取り付けるステップも含む。一実施形態では、衣類がズボン又はショートパンツである。一実施形態では、方法が、てんぐ縫い部を衣類の前身頃に縫合するステップと、てんぐ及び衣類の股縫い部にわたって延びる閂止めを形成するステップも含み、衣類がウエストバンドを含み、てんぐ縫い部が衣類の前身頃の、ウエストバンドと閂止めとの間の位置に縫合される。一実施形態では、方法が、股縫い部を含む衣類にてんぐを取り付けるステップも含み、下縁がてんぐの下部を形成し、股縫い部に重なって延びるてんぐの部分のみが下部である。一実施形態では、てんぐの下部が第１の生地層及び第２の生地層からなる。一実施形態では、てんぐ縫い部が股縫い部から離間する。一実施形態では、縫合された第１の部分及び第２の部分が第２の位置状態にあるとき、額縁縫いの角部がてんぐ縫い部によって形成され、縫合された第１の部分及び第２の部分が第２の位置状態にあるとき、てんぐが、２つの略直角、第１の鋭角及び鈍角を形成する略台形の形状を持ち、額縁縫いの角部のてんぐ縫い部が鈍角の頂点に向かって延び、下縁が鈍角の頂点と第１の鋭角の頂点との間で延びる。一実施形態では、てんぐ縫い部と下部折り縁とが交差して、鈍角の一部である第２の鋭角を形成する。
【００２３】
[0041]第１の前パネルと、第２の前パネルであって、第１の前パネルの第１の側部が股縫い部を介して第２の前パネルの第１の側部に接続される、第２の前パネルと、第１の前パネルの上部と第２の前パネルの上部とに接続されるウエストバンドと、第１の前パネルの第２の側部と第２の前パネルの第２の側部とに接続されるファスナと、折られ縫合されて、てんぐ縫い部によって形成される額縁縫いの角部を形成する生地を含むてんぐであって、てんぐが第１の前パネルの第２の側部に縫合される、てんぐと、てんぐの一部と股縫い部とにわたって形成される閂止めであって、てんぐ縫い部が第１の前パネルの第２の側部の、閂止めとウエストバンドとの間の位置に縫合される、閂止めとを含む衣類を説明してきた。一実施形態では、衣類がズボン又はショートパンツである。一実施形態では、てんぐが２つの略直角、第１の鋭角及び鈍角を形成する略台形の形状を持ち、額縁縫いの角部のてんぐ縫い部が鈍角の頂点に向かって延び、てんぐが、鈍角の頂点と第１の鋭角の頂点との間で延びる下部折り縁を形成する。一実施形態では、てんぐ縫い部と下部折り縁とが交差して、鈍角の一部である第２の鋭角を形成する。一実施形態では、下部折り縁がてんぐの下部を形成し、股縫い部に重なって延びるてんぐの部分のみが下部である。一実施形態では、てんぐの下部が第１の生地層及び第２の生地層からなる。一実施形態では、てんぐ縫い部が股縫い部から離間する。
【００２４】
[0042]開示の範囲を逸脱しない限りにおいて上記に変形を加えてもよいと解する。さらに、説明に供した様々な実施形態の要素及び教示を説明に供した実施形態の一部又は全部に全体的に組み合わせたり部分的に組み合わせたりしてもよい。これに加えて、説明に供した様々な実施形態の要素及び教示の１つ以上を少なくとも部分的に省略しかつ／又は説明に供した様々な実施形態の他の要素及び教示の１つ以上に少なくとも部分的に組み合わせてもよい。
【００２５】
[0043]例えば、「上部」、「下部」、「の上」、「の下」、「の間」、「垂直」、「水平」、「角度がついた」、「上方」、「下方」、「側方」、「左から右」、「右から左」「上から下」、「下から上」、「上」、「下」、「下から上」、「上から下」、「前から後ろ」などの空間的な言及は説明のみを目的としており、上記の構成の特定の向きや位置を限定しない。
【００２６】
[0044]いくつかの実施形態では、各実施形態の動作に関するステップの１つ以上を省略してもよい。さらに、場合によっては、本開示のいくつかの特徴を、他の特徴の対応する使用をともなわずに用いてもよい。さらに、上記の実施形態及び／又は変形例の１つ以上を、他の上記の実施形態及び／又は変形例のいずれか１つ以上と全体的に組み合わせたり部分的に組み合わせたりしてもよい。
【００２７】
[0045]上記でいくつかの実施形態を詳細に説明してきたが、説明されている実施形態は例にすぎず、限定を課すものではない。また、本開示の新規の教示及び効果から大幅に逸脱せずに実施形態で他の多くの修正、変形及び／又は置換が可能であることを当業者であれば容易に理解する。したがって、すべてのこのような修正、変形及び／又は置換は以下の請求項で定められている通りに本開示の範囲に含まれることを意図している。請求項では、ミーンズプラスファンクション文節は、記載されている機能を実行するものとして本出願で説明されている構成をカバーし、構造的均等物だけでなく均等構成もカバーすることを意図している。さらに、請求項で単語「手段」を関連機能とともに明示的に用いている場合を除き、本出願の請求項のいずれかのいずれの限定についても米国特許法１１２条第６段落を適用しないことを出願人は明示的に意図している。
【図１】
2021523309.tif 000003
【図２】
2021523309.tif 000004
【図３】
2021523309.tif 000005
【図４】
2021523309.tif 000006
【図５】
2021523309.tif 000007
【図６】
2021523309.tif 000008
【図７】
2021523309.tif 000009
【図８】
2021523309.tif 000010
【図９】
2021523309.tif 000011
【図１０】
2021523309.tif 000012
【図１１】
2021523309.tif 000013
【図１２】
2021523309.tif 000014
【図１３】
2021523309.tif 000015
【図１４】
2021523309.tif 000016
【図１５】
2021523309.tif 000017
【図１６】
2021523309.tif 000018
【図１７】
2021523309.tif 000019
【図１８】
2021523309.tif 000020
【図１９】
2021523309.tif 000021
【手続補正書】
【提出日】令和2年1月2日(2020.1.2)
【手続補正１】
【補正対象書類名】特許請求の範囲
【補正対象項目名】全文
【補正方法】変更
【補正の内容】
【特許請求の範囲】
【請求項１】
第１の前パネルと、
第２の前パネルであって、前記第１の前パネルの第１の側部が股縫い部を介して該第２の前パネルの第１の側部に接続される、第２の前パネルと、
前記第１の前パネルの上部と前記第２の前パネルの上部とに接続されるウエストバンドと、
前記第１の前パネルの第２の側部と前記第２の前パネルの第２の側部とに接続されるファスナと、
第１の折り部及び第２の折り部を形成するために折られ、てんぐ縫い部を形成するために縫合された生地を備えるてんぐと
を備える衣類であって、
前記てんぐ縫い部が、額縁縫いの角部を形成するために前記第１の折り部と前記第２の折り部との間に配置され、
前記てんぐの下部が前記生地の前記第１の折り部により形成されて、前記てんぐの前記下部が第１の生地層及び第２の生地層からなるようにされ、
前記股縫い部に重なって延びる前記てんぐの部分のみが前記下部となってしる、衣類。
【請求項２】
前記ファスナがファスナストッパを備え、前記てんぐ縫い部が前記第１の前パネルの前記第２の側部の、前記ファスナストッパと前記ウエストバンドとの間の位置に縫合される、請求項１に記載の衣類。
【請求項３】
前記衣類がズボン又はショートパンツである、請求項１に記載の衣類。
【請求項４】
前記てんぐが２つの略直角、第１の鋭角及び鈍角を形成する略台形の形状を持ち、前記額縁縫いの角部の前記てんぐ縫い部が前記鈍角の頂点に向かって延び、前記第１の折り部が前記鈍角の前記頂点と前記第１の鋭角の頂点との間で延びる、請求項１に記載の衣類。
【請求項５】
前記てんぐ縫い部と前記第１の折り部とが交差して、前記鈍角の一部である第２の鋭角を形成する、請求項４に記載の衣類。
【請求項６】
前記てんぐ縫い部が前記股縫い部から離間する、請求項１に記載の衣類。
【請求項７】
前記てんぐの一部と前記股縫い部とにわたって形成される閂止めをさらに備え、
前記てんぐ縫い部が前記第１の前パネルの前記第２の側部の、前記閂止めと前記ウエストバンドとの間の位置に縫合される、請求項１に記載の衣類。
【請求項８】
第１の前パネルと、
第２の前パネルであって、前記第１の前パネルの第１の側部が股縫い部を介して該第２の前パネルの第１の側部に接続される、第２の前パネルと、
前記第１の前パネルの上部と前記第２の前パネルの上部とに接続されるウエストバンドと、
前記第１の前パネルの第２の側部と前記第２の前パネルの第２の側部とに接続されるファスナと、
第１の折り部及び第２の折り部を形成するために折られ、てんぐ縫い部を形成するために縫合された生地を備えるてんぐ
とを備える衣類であって、
前記てんぐ縫い部が、額縁縫いの角部を形成するために前記第１の折り部と前記第２の折り部との間に配置され、
前記てんぐが前記第１の前パネルの前記第２の側部に縫合される、衣類。
【請求項９】
前記ファスナがファスナストッパを備え、前記てんぐ縫い部が前記第１の前パネルの前記第２の側部の、前記ファスナストッパと前記ウエストバンドとの間の位置に縫合される、請求項８に記載の衣類。
【請求項１０】
前記衣類がズボン又はショートパンツである、請求項９に記載の衣類。
【請求項１１】
前記てんぐが２つの略直角、第１の鋭角及び鈍角を形成する略台形の形状を持ち、前記額縁縫いの角部の前記てんぐ縫い部が前記鈍角の頂点に向かって延び、前記第１の折り部が、前記鈍角の前記頂点と前記第１の鋭角の頂点との間で延びる、請求項９に記載の衣類。
【請求項１２】
前記てんぐ縫い部と前記第１の折り部とが交差して、前記鈍角の一部である第２の鋭角を形成する、請求項１１に記載の衣類。
【請求項１３】
前記第１の折り部が前記てんぐの下部を形成し、前記股縫い部に重なって延びる前記てんぐの部分のみが前記下部となっている、請求項１１に記載の衣類。
【請求項１４】
前記てんぐの前記下部が第１の生地層及び第２の生地層からなる、請求項１３に記載の衣類。
【請求項１５】
前記てんぐ縫い部が前記股縫い部から離間する、請求項１１に記載の衣類。
【請求項１６】
前記てんぐの一部と前記股縫い部とにわたって形成される閂止めをさらに備え、
前記てんぐ縫い部が前記第１の前パネルの前記第２の側部の、前記閂止めと前記ウエストバンドとの間の位置に縫合される、請求項８に記載の衣類。
【請求項１７】
第１の折り部及び第２の折り部を形成するために折られ、てんぐ縫い部を形成するために縫合された生地を備える、衣類のてんぐであって、
前記てんぐ縫い部が、額縁縫いの角部を形成するために前記第１の折り部と前記第２の折り部との間に配置され、
前記てんぐが２つの略直角、第１の鋭角及び鈍角を形成する略台形の形状を持ち、
前記第１の折り部と前記第２の折り部とが交差して前記鈍角を形成し、
前記てんぐ縫い部が前記鈍角の頂点に向かって延び、
前記第１の折り部が、前記鈍角の前記頂点と前記第１の鋭角の頂点との間で延びる、てんぐ。
【請求項１８】
前記てんぐ縫い部と前記第１の折り部とが交差して、前記鈍角の一部である第２の鋭角を形成する、請求項１７に記載のてんぐ。
【請求項１９】
前記第１の折り部が前記てんぐの下部を形成し、衣類の股縫い部に重なって延びるように構成される前記てんぐの部分のみが前記下部となっている、請求項１７に記載のてんぐ。
【請求項２０】
前記てんぐの前記下部が第１の生地層及び第２の生地層からなる、請求項１９に記載のてんぐ。
【請求項２１】
生地を用いててんぐを作製するステップを含む方法であって、
前記生地が第１の縁を含む第１の部分と、第２の縁を含む第２の部分とを備え、前記第１の縁と前記第２の縁との間に鈍角が形成され、前記第１の部分が第１の面及び反対側の第２の面を有し、前記第２の部分が第３の面及び反対側の第４の面を有し、
前記生地を用いて前記てんぐを作製する前記ステップが、
前記第１の部分の前記第１の面が前記第２の部分の前記第３の面に対向するとともに、前記第１の縁が前記第２の縁に実質的に合わせられる第１の位置状態に前記第１の部分及び前記第２の部分を配置することと、
前記第１の部分及び前記第２の部分が前記第１の位置状態にあるとき、前記第１の部分を前記第２の部分に縫合して、てんぐ縫い部を形成することと、
前記てんぐ縫い部を形成した後、前記第１の部分の前記第２の面が前記第２の部分の前記第４の面に対向するとともに、前記第２の部分が折られて第１の折り部及び第２の折り部を形成する第２の位置状態に、前記縫合された第１の部分及び第２の部分を配置することと
を含み、
前記てんぐの下部が前記生地の前記第１の折り部によって形成される、方法。
【請求項２２】
ウエストバンド及びファスナストッパを備える衣類に、前記てんぐ縫い部が前記ウエストバンドと前記ファスナストッパとの間の位置で前記衣類に縫合されるように、前記てんぐを取り付けるステップをさらに含む、請求項２１に記載の方法。
【請求項２３】
前記衣類がズボン又はショートパンツである、請求項２２に記載の方法。
【請求項２４】
前記てんぐ縫い部を衣類の前身頃に縫合するステップと、
前記てんぐ及び前記衣類の股縫い部にわたって延びる閂止めを形成するステップと
をさらに含み、
前記衣類がウエストバンドを備え、
前記てんぐ縫い部が前記衣類の前記前身頃の、前記ウエストバンドと前記閂止めとの間の位置に縫合される、請求項２１に記載の方法。
【請求項２５】
股縫い部を備える衣類に前記てんぐを取り付けるステップをさらに含み、
前記股縫い部に重なって延びる前記てんぐの部分のみが前記下部となっている、請求項２１に記載の方法。
【請求項２６】
前記てんぐの前記下部が第１の生地層及び第２の生地層からなる、請求項２５に記載の方法。
【請求項２７】
前記てんぐ縫い部が前記股縫い部から離間する、請求項２５に記載の方法。
【請求項２８】
前記縫合された第１の部分及び第２の部分が前記第２の位置状態にあるとき、前記てんぐ縫い部が前記第１の折り部と前記第２の折り部との間に配置されて額縁縫いの角部を形成し、
前記縫合された第１の部分及び第２の部分が前記第２の位置状態にあるとき、
前記てんぐが、２つの略直角、第１の鋭角及び鈍角を形成する略台形の形状を持ち、
前記第１の折り部と前記第２の折り部とが交差して前記鈍角を形成し、
前記額縁縫いの角部の前記てんぐ縫い部が前記鈍角の頂点に向かって延び、
前記第１の折り部が前記鈍角の前記頂点と前記第１の鋭角の頂点との間で延びる、
請求項２１に記載の方法。
【請求項２９】
前記てんぐ縫い部と前記第１の折り部とが交差して、前記鈍角の一部である第２の鋭角を形成する、請求項２８に記載の方法。
【国際調査報告】
2021523309.tif 000022